(57)【要約】      （修正有）【課題】ターゲット・ボードにボールが着実に保持されると共に、各種スポーツに合わせた背景を図柄に選択でき、視覚的にも運動的にもスポーツを楽しむことができる。【解決手段】フレーム２０と、４辺に複数個の弾性ストラップ３１が取り付けられたターゲット・ボード３０とを含み、各々の弾性ストラップへブラケット・ユニットを通しターゲット・ボードをフレームに装着し、透明なフック突出部３２に様々なスポーツの背景図柄の模様層３３と組み合せ、透明フック突出部３２を通して見えるようにし、更に、ボール状のスポーツ用具４０がターゲット・ボード３０に当たったとき、弾性ストラップ３１が投球速度によって発生する衝撃により弾性的に伸長し、衝撃を吸収することができ、ボール状のスポーツ用具がターゲット・ボードに当てられたとき、その表面のフリース状張付け面４１が透明フック突出部３２とが協働作業し、ターゲット・ボード３０の透明フック突出部にしっかり保持される。【選択図】図３
0003110659.tif 000002
【実用新案登録請求の範囲】
【請求項１】
フレームと、４辺にそれぞれ複数個の弾性ストラップが取り付けられたターゲット・ボードとを含み、各々の弾性ストラップへブラケット・ユニットを通して結合させ、これによってターゲット・ボードがフレームに装着されるようになり、
前記ターゲット・ボードには透明のフック突出部を備えたキャッチング面が形成されており、ボール状のスポーツ用具に形成されたフリース状張付け面と協働作業するようになり、透明なフック突出部が様々なスポーツの図柄の模様層と組み合わされ、透明なキャッチング面を通してこのような図柄が見えるようにしてあり、且つ前記模様層は、その外側表面に保護フィルムがコーティングされており、
ボール状のスポーツ用具の表面は、フリース状張付け面が形成されていて、ボール状のスポーツ用具がターゲット・ボードに当たったとき、弾性ストラップが投球速度によって発生する衝撃により弾性的に伸長して耐衝撃効果をもたらすようにし、前記ボール状のスポーツ用具の表面のフリース状張付け面がターゲット・ボードの透明なキャッチング面のフック突出部に確実に保持される最高の使用条件を達成できるようにしたことを特徴とするスポーツ用具。
【請求項２】
ターゲット・ボードの透明なキャッチング面には面ファスナーの雄部材となるフック突出部が連続的に配置されていることを特徴とする請求項１記載のスポーツ用具。
【請求項３】
フレームのブラケット・ユニットはその一側に支持ラックが固着されていることを特徴とする請求項１記載のスポーツ用具。
【請求項４】
ターゲット・ボードの模様層は図柄が印刷されたスクリーンであることを特徴とする請求項１記載のスポーツ用具。
【請求項５】
ターゲット・ボードの模様層は、各種スポーツに従って様々なスポーツ背景の図柄に設計できることを特徴とする請求項１記載のスポーツ用具。
【請求項６】
フレームの支持ラックは柱状に形成され、フレームのブラケット・ユニットの底部側に固着されており、前記柱状支持ラックは、水上に浮かぶことができる膨張性脚部の上部で突出して形成された支持管へと挿入されて、該脚部の底部側には釣合い錘が装着されているので、これにより、フレームが水上で直立して浮遊するようにできるようになることを特徴とする請求項３記載のスポーツ用具。
【考案の詳細な説明】
【技術分野】
【０００１】
本考案は、スポーツ用具に関し、更に具体的に言うと、本考案のスポーツ用具には、ゴルフや、サッカー、野球といった様々なスポーツに適合した背景を映し出したターゲット付きボードを有し、ターゲット付きボードを目指してトス・アンド・キャッチを可能とすることでスポーツを楽しむことが出来るようにしたスポーツ用具に関する。
【背景技術】
【０００２】
図１は従来のスポーツ用具であり、キャッチング面１０と、該キャッチング面の一側に取り付けられたスリーブ状グリップ１１から構成されている。キャッチング面１０には、ボール１３の毛羽立ったフリース状張付け面１３１と係合するように、その表面上には多数の突出した面ファスナーの雄部材１２１となるフック突出部１２が形成されている。
実際の使用では、まず、スリーブ状グリップ１１を掌で握ってキャッチング面１０を保持し、このキャッチング面１０へトスされるボール１３をトス・アンド・キャッチ運動でキャッチング面１０に接触させてキャッチすると、ボール１３のフリース状張付け面１３１が面ファスナーの雄部材１２１のフック突出部１２上に保持されるようになる。
【０００３】
しかし、このような従来の運動用具には幾つかの欠点がある。
第１に、キャッチング面１０には衝撃吸収効果が備わっていない。従って、トスされたボール１３がキャッチング面１０に当たったときに同時に発生する反発衝撃によって、ボールが後方へ跳ね返り易い上に、ボール１３のフリース状張付け面１３１がキャッチング面１０のフック突出部１２上に正確に保持されにくいために、ボールが地面に落ちやすく、このため、スポーツ・レジャーの楽しみを損なう傾向にある。
第２に、キャッチング面１０のフック突出部１２が濃淡のない地味な色合いである上に、サッカーであるとか、野球とか、ゴルフなどの様々なスポーツにおける背景を映し出す図柄が何もない質素なデザインのため、実際の目で見る視覚的効果を提供することができず、実際の使用頻度が非常に限定的になるために、市場での競争力がない。
【考案の開示】
【考案が解決しようとする課題】
【０００４】
従って、本考案は、従来技術の欠点を改善して、フレームを備え付け、該フレームに弾性ストラップの付いたターゲット・ボードを設置し、このターゲット・ボードに、様々なスポーツで使用するボールを模したスポーツ用具に設けたフリース状張付け面と協働する透明なフック突出部を備え、このボール状のスポーツ用具をターゲット・ボードに当てると、それによって発生した衝撃によって弾性ストラップが弾性的に伸長することで耐衝撃効果がもたらされ、ターゲット・ボードの透明なキャッチング面のフック突出部に正確に張り付いて保持されるようになるので、最高の使用条件が達成され、スポーツの楽しみをかき立てることのできるスポーツ用具を提供することを第１の目的とする。
【０００５】
本考案の第２の目的は、ターゲット・ボードの模様層に配置された図柄が種々のスポーツの背景に作られていて、図柄の入った模様層が透明なフック突出部を有するキャッチング面を通して鮮明に見えるように配置されているので、様々な使用者が本考案のスポーツ用具を使用するときに自分の興味に合うようにスポーツ背景を選択できることで、広く使用されるようになり、且つ選択したスポーツの背景を目にすることで現実的な視覚的効果をもたらし、レジャースポーツの特性を高めるようにしたスポーツ用具を提供することである。
【課題を解決するための手段】
【０００６】
本願の請求項１に記載のスポーツ用具は、フレームと、４辺にそれぞれ複数個の弾性ストラップが取り付けられたターゲット・ボードとを含み、各々の弾性ストラップへブラケット・ユニットを通して結合させ、これによってターゲット・ボードがフレームに装着されるようになり、前記ターゲット・ボードには透明のフック突出部を備えたキャッチング面が形成されており、ボール状のスポーツ用具に形成されたフリース状張付け面と協働作業するようになり、透明なフック突出部が様々なスポーツの図柄の模様層と組み合わされ、透明なフック突出部を通してこのような図柄が見えるようにしてあり、且つ前記模様層は、その外側表面に保護フィルムがコーティングされており、ボール状のスポーツ用具の表面は、フリース状張付け面が形成されていて、ボール状のスポーツ用具がターゲット・ボードに当たったとき、弾性ストラップが投球速度によって発生する衝撃により弾性的に伸長して耐衝撃効果をもたらすようにし、前記ボール状のスポーツ用具の表面のフリース状張付け面がターゲット・ボードの透明なフック突出部に確実に保持される最高の使用条件を達成できるようにしたことを特徴とする。
【０００７】
請求項２の考案は、請求項１記載のスポーツ用具において、ターゲット・ボードの透明なキャッチング面には面ファスナーの雄部材となるフック突出部が連続的に配置されていることを特徴とする。
請求項３の考案は、請求項１記載のスポーツ用具において、  フレームのブラケット・ユニットはその一側に支持ラックが固着されていることを特徴とする。
請求項４の考案は、請求項１記載のスポーツ用具において、ターゲット・ボードの模様層は図柄が印刷されたスクリーンであることを特徴とする。
請求項５の考案は、請求項１記載のスポーツ用具において、ターゲット・ボードの模様層は、各種スポーツに従って様々なスポーツ背景の図柄に設計できることを特徴とする。
【０００８】
請求項６の考案は、請求項３記載のスポーツ用具において、フレームの支持ラックは柱状に形成され、フレームのブラケット・ユニットの底部側に固着されており、前記柱状支持ラックは、水上に浮かぶことができる膨張性脚部の上部で突出して形成された支持管へと挿入されて、該脚部の底部側には釣合い錘が装着されているので、これにより、フレームが水上で直立して浮遊するようにできるようになることを特徴とする。
【考案の効果】
【０００９】
上記の目的を達成するため、本考案のスポーツ用具は、フレームと、４辺に複数個の弾性ストラップが取り付けられたターゲット・ボードとを各々の弾性ストラップへブラケット・ユニットを通して結合させ、ボール状のスポーツ用具をターゲット・ボードに当てたとき、弾性ストラップが投球速度によって発生する衝撃により弾性的に伸長し、衝撃を吸収することができ、これによって耐衝撃効果をもたらすことができるようになっており、また、ボール状のスポーツ用具の表面にはフリース状張付け面が設けられていて、ボール状のスポーツ用具がターゲット・ボードに当たったとき、フリース状張付け面がターゲット・ボードの透明フック突出部に直接ぴたりとしっかり保持されるようになるので、これにより最高の使用条件を達成でき、スポーツの楽しみを充分に味わえるようにした。
【００１０】
また、本考案のスポーツ用具のターゲット・ボードには透明なキャッチング面にフック突出部が形成されており、ボールが投げられ透明なフック突出部に当たったとき、ボール状のスポーツ用具に形成されたフリース状張付け面と協働作業するようになり、これによりボールはぴたりと保持されると共に、透明なフック突出部を有するキャッチング面が様々なスポーツの背景を模した図柄をした模様層と組み合わされ、これによって、現実的な視覚効果がもたらされることで更に一層現実感が増し、スポーツ本来の楽しみと共に視覚的効果をも楽しめるようにした。
【００１１】
本考案のスポーツ用具は、更に、フレームの支持ラックを柱状に形成し、ブラケット・ユニットの底部側に固着し、水上に浮かぶことができる膨張性脚部の支持管へと挿入され、該脚部の底部側には釣合い錘が装着される構成にしたので、フレームが水上で直立して浮遊するようにできるようになり、水上スポーツの背景をターゲット・ボードに描いてキャッチング面を自由に変更・選択することで、陸上のスポーツばかりでなく、水上スポーツも楽しめるようにし、使用の範囲を更に一層広めることができる。
【考案を実施するための最良の形態】
【００１２】
以下、添付図面参照して本考案の好適な実施の形態を詳細に説明する。図２は、本考案のスポーツ用具の一実施例の破断斜視図、図３は、本考案のスポーツ用具を組立完成図、図４は、本考案のターゲット・ボードの一部拡大断面図、図５は、本考案にかかるスポーツ用具の他の実施例を示す組立完成図である。
【実施例１】
【００１３】
図２〜図３から分かるように、本考案のスポーツ用具は、ブラケット・ユニット２１とブラケット・ユニット２１の一側に固着した支持ラック２２とから成るフレーム２０と、及び、フレーム２０の前面側４辺に、４辺の複数個所にそれぞれ弾性ストラップ３１が取り付けられたターゲット・ボード３０とを備え、各々の弾性ストラップ３１へブラケット・ユニット２１を通して結合させ、これによってターゲット・ボード３０がフレーム２０の前面部に装着されるようになる。
【００１４】
ターゲット・ボード３０は透明材質で形成されたフック突出部３２が連続して突出された面ファスナーの雄部材と同様なキャッチング面３２０からなり、ゴルフや、サッカー、あるいは野球等で使用するボール状のスポーツ用具４０に形成されたフリース状張付け面と協働作業するようになっている。
【００１５】
前記透明なフック突出部３２を有するキャッチング面３２０の裏面側には、印刷等が施されたスクリーンからなる模様層３３が積層されており、この模様層３３の図柄が、ゴルフコースであるとか、野球場の内野や、サッカーフィールドを模した様々なスポーツの適応する背景が描かれており、透明のフック突出部３２を通してこのような図柄が見えるようにしてあり、現実的な視覚効果がもたらされる。
更に、図４に示すように、前記模様層３３の外側表面には保護フィルム３４がコーティングされている。
【００１６】
実際に使用する場合には、ターゲット・ボード３０の４辺の各辺に設置された複数個の弾性ストラップ３１にフレーム２０のブラケット・ユニット２１をそれぞれスリーブ係合させ、フレーム２０とターゲット・ボード３０を組み合わせて構成する。そして、スポーツ用具４０をターゲット・ボード３０に当てたとき、弾性ストラップ３１が投球速度によって発生する衝撃により弾性的に伸長し、衝撃を吸収することができ、これによって耐衝撃効果をもたらすことができるようになる。
【００１７】
そして、ボール状のスポーツ用具４０の表面に形成したフリース状張付け面４１がターゲット・ボード３０の透明のフック突出部３２に直かにしっかり保持されるようになるので、これにより最高の使用条件を達成でき、スポーツの楽しみを充分に味わえることができる。
【００１８】
ターゲット・ボード３０の透明のフック突出部３２を有するキャッチング面を３２０介して、そこからターゲット・ボード３０の模様層３３描いた図柄が完全に透視できるので、これによって、遠近法による視覚効果をもたらすことができる。
【００１９】
また更に、ターゲット・ボード３０の模様層３３は、異なる使用者の興味に合わせられるように様々なスポーツ背景の図柄でいろいろに設計したものを使用することができるので、一層広範に使用し易くなると共に、視覚的効果をもたらすことができるため、レジャースポーツとしての特性を高めることができるものである。
【実施例２】
【００２０】
図５には、本考案の別の実施例が示されている。この第２実施例のスポーツ用具は、水上競技用に使用するために設計されており、支持ラック２２は、柱状に形成されていてブラケット・ユニット２１の底部側に固着されており、膨らませてスポーツ用具全体を水上に浮かばせられるようになる膨張性脚部５０の支持管５１に差し込まれて、脚部５０の底部側は釣り合い錘へ固着されていて、これにより、フレーム２０が直立して水面に浮かぶようにする。
なお前述以外の構成は、第１実施例と同様なので、同一符号を付してその説明を省略する。
【００２１】
この第２実施例のターゲット・ボード３０の模様層３３も、水上競技のそれぞれの内容にあわせて背景の図柄を変えられるようになっていて、更に一層使用範囲を広げることができる。
【００２２】
以上のように、本考案の好適な実施例を説明したが、本考案は、上記実施例に限定されることなく、実用新案登録請求の範囲を逸脱しない範囲における各種の変更，改良は本考案の請求範囲に包含されることは言うまでもない。
【図面の簡単な説明】
【００２３】
【図１】従来のスポーツ用具の構造を示す斜視図、
【図２】本考案のスポーツ用具の一実施例を分解して示す破断斜視図、
【図３】図２に示す本考案のスポーツ用具組立完成図、
【図４】図２に示す本考案のターゲット・ボードの一部拡大断面図、
【図５】本考案にかかるスポーツ用具の第２実施例を示す組立完成図。
【符号の説明】
【００２４】
２０    フレーム
２１    ブラケット・ユニット
２２    支持ラック
３０    ターゲット・ボード
３１    弾性ストラップ
３２    透明のフック突出部
３３    模様層
４０    ボール状のスポーツ用具
３２０  キャッチング面
【図１】
0003110659.tif 000003
【図２】
0003110659.tif 000004
【図３】
0003110659.tif 000005
【図４】
0003110659.tif 000006
【図５】
0003110659.tif 000007